(57)【特許請求の範囲】
【請求項１】
内部に収納空間を有する収納部の外表面には突起を備えるキー手段と、
前記収納空間内の一部に収納され、携帯者の少なくとも個人情報及び医療情報を記憶するＵＳＢメモリ装置と、
前記キー手段の前記収納部を着脱自在に受け入れ可能であって、前記収納部を受け入れたときに前記突起を外部に突出させる溝が長手方向に形成されている筒状のダイヤル軸と、
前記ダイヤル軸の周囲を回転可能なよう前記ダイヤル軸が挿通する軸穴を有して該軸穴の一部に前記突起を通過させるための切り欠きを備えた複数のダイヤルと、
前記ダイヤル軸が前記収納部を受け入れたとき、前記収納部の挿入側の先端開口部を閉塞するよう前記ダイヤル軸の先端部に固定されているキャップと、を備え、
前記キー手段の前記収納部を前記ダイヤル軸に挿入し、前記突起による前記切り欠きの通過を阻止するよう前記ダイヤルを回転させて前記キャップによる前記収納部の閉塞状態をロックすることで、前記収納部に収納される前記ＵＳＢメモリ装置の利用を管理することを特徴とする情報携帯収納装置。
【請求項２】
前記ダイヤルの外表面には複数の数字を列記しており、前記切り欠きは、暗証番号に該当する前記数字に対応して位置していることを特徴とする請求項１に記載の情報携帯収納装置。
【請求項３】
前記収納部は、携帯者の救急用医薬品を収納するための収納空間を備えることを特徴とする請求項１に記載の情報携帯収納装置。
【請求項４】
前記救急用医薬品が、狭心症、糖尿病、癲癇、喘息に対する応急処置又は治療に必要な医薬品であることを特徴とする請求項３に記載の情報携帯収納装置。
【請求項５】
前記ＵＳＢメモリ装置に記憶される医療情報が、携帯者の診断情報、治療情報、病歴情報、薬歴情報のうち少なくとも一つを含むことを特徴とする請求項１に記載の情報携帯収納装置。
【請求項６】
前記ＵＳＢメモリ装置には、さらに携帯者の臓器提供意思を示した臓器提供意思表示カードの情報が格納されていることを特徴とする請求項５に記載の情報携帯収納装置。
【発明の詳細な説明】
【技術分野】
【０００１】
本発明は、情報携帯収納装置に関し、特に、携帯者の個人情報及び医療情報を格納したＵＳＢメモリ装置を救急用医薬品と共に携帯でき、かつそれらをダイヤル錠でロック可能にして情報の漏洩を防止できる情報携帯収納装置に関するものである。
【背景技術】
【０００２】
従来、医薬品の携帯用収納具は、主に、定期的な投薬を必要とする人及び突発的に生命に関わるような発作に襲われる可能性がある持病（例えば、狭心症、糖尿病、癲癇、喘息等）のある人に利用されている。
【０００３】
上記のような医薬品の携帯用収納具としては、必要な医薬品を一回服用分ずつ分けて収納できるものや、医薬品のほか病院の診察券や健康保険証等を収納できるもの等がこれまでに普及している。
【０００４】
例えば、特許文献１には、医薬品を簡単に仕分けして収納できる薬収納構造と、病院の診察券や健康保険証等を入れるためのカード収納構造とを一体化した救急薬・診察券等の一体収納容器が開示されている。
【０００５】
また、特許文献２には、一日分または管理サイクル分の薬を服用回数に分けて収納可能にすると共に、全体をポケット等に収納できる棒状（ペン等の疑似形状）の薬の携帯容器が開示されている。
【０００６】
さらに、特許文献３には、腕時計の本体に開閉可能な蓋を有する薬剤収納部を一体構造として設けた腕時計が開示されている。
【０００７】
なお、特許文献４には、主収納部と蓋部から形成された救命救急のための携帯用収納具であって、携帯者の個人情報と共に医療情報を格納したＵＳＢメモリ装置を収納する中央収納スペースと、前記携帯者の救急用医薬品を収納する医薬品収納スペースとを設けたことを特徴とする救命救急のための携帯用収納具が、本発明者により提案されている。
【特許文献１】特開２００７−５４５８５号公報
【特許文献２】特開２００６−２３９３２８号公報
【特許文献３】実用新案登録第３００１５７９号公報
【特許文献４】実用新案登録第３１０９９７６号公報
【発明の開示】
【発明が解決しようとする課題】
【０００８】
しかしながら、上記の特許文献１、２及び３に示される医薬品の携帯用収納具では、診察券や健康保険証等を入れるスペースに限りがあるため、その情報量には制約があった。即ち、携帯者の個人情報や各種の医療情報を医薬品と共にコンパクトな形で携帯することは困難であった。
【０００９】
そのため、携帯者が発作等を起こした場合に、応急処置や救命治療に当たる者が、真に有効、適切な処置や治療を行えない恐れがあるばかりか、その処置や治療に過誤が生じる可能性も高くなる。
【００１０】
一方、本発明者により提案された特許文献３に開示される救命救急のための携帯用収納具の場合、ＵＳＢメモリ装置から携帯者の個人情報や各種の医療情報が処置や治療と関係のない第三者に漏洩してしまう恐れがあり、携帯者のプライバシーを脅かす危険性を排除できなかった。
【００１１】
本発明は、上記従来の問題点に鑑みて、携帯者の個人情報及び医療情報を格納したＵＳＢメモリ装置を救急用医薬品と共に携帯でき、かつそれらをダイヤル錠でロック可能にして情報の漏洩を防止できる情報携帯収納装置を提供することを目的とする。
【課題を解決するための手段】
【００１２】
本発明は、上記課題を解決するために、内部に収納空間を有する収納部の外表面には突起を備えるキー手段と、前記収納空間に収納され、携帯者の少なくとも個人情報及び医療情報を記憶するＵＳＢメモリ装置と、前記キー手段の前記収納部を着脱自在に受け入れ可能であって、前記収納部を受け入れたときに前記突起を外部に突出させる溝が長手方向に形成されている筒状のダイヤル軸と、前記ダイヤル軸の周囲を回転可能なよう前記ダイヤル軸が挿通する軸穴を有して該軸穴の一部に前記突起を通過させるための切り欠きを備えた複数のダイヤルと、前記ダイヤル軸が前記収納部を受け入れたとき、前記収納部の挿入側の先端開口部を閉塞するよう前記ダイヤル軸の先端部に固定されているキャップと、を備え、前記キー手段の前記収納部を前記ダイヤル軸に挿入し、前記突起による前記切り欠きの通過を阻止するよう前記ダイヤルを回転させて前記キャップによる前記収納部の閉塞状態をロックすることで、前記収納部に収納される前記ＵＳＢメモリ装置の利用を管理することを特徴とする情報携帯収納装置を提供する。
【００１３】
ここで、前記ダイヤルの外表面には複数の数字を列記しており、前記切り欠きは、暗証番号に該当する前記数字に対応して位置するよう構成するのが好適である。
【００１４】
なお、前記収納部に収納される携帯者の救急用医薬品を、その情報携帯収納装置の構成要素としてさらに備えるようにしても良い。ここで、その救急用医薬品は、狭心症、糖尿病、癲癇、喘息に対する応急処置又は治療に必要な医薬品であるのが好適である。
【００１５】
また、前記ＵＳＢメモリ装置に記憶される医療情報は、携帯者の診断情報、治療情報、病歴情報、薬歴情報のうち少なくとも一つを含むのが好ましい。
【００１６】
さらに、前記ＵＳＢメモリ装置には、さらに携帯者の臓器提供意思を示した臓器提供意思表示カードの情報が格納されているのが好適である。
【発明の効果】
【００１７】
本発明によれば、携帯者の個人情報及び医療情報を格納したＵＳＢメモリ装置を、携帯者が発作を起こした際に必要な救急用医薬品と共に携帯でき、かつそれらをダイヤル錠でロック可能にしたため、普段は情報の漏洩を防止して、いざ発作等が起きた際には救急用医薬品を携帯者に即座に投薬できると共に、ＵＳＢメモリ装置に格納された情報により有効かつ適切な治療を迅速に行うことができる。
【発明を実施するための最良の形態】
【００１８】
以下、本発明の実施の形態について、図面を参照しながら詳細に説明する。
【００１９】
図１は、本発明の情報携帯収納装置の一例を示す全体概略図、図２は本発明の情報携帯収納装置の一例の分解斜視図、図３は本発明の情報携帯収納装置に係るキーの概要を示す概略図であり、図３（ａ）はそのキーの斜視図、図３（ｂ）は図３（ａ）のＡ−Ａ線断面図である。
【００２０】
これらの図より分かるように、本発明の情報携帯収納装置１０は、ＵＳＢメモリ装置や救急用医薬品を収納するキー１１と、このキー１１を緊結及び解放することが可能なダイヤル錠１２よりなる。
【００２１】
ダイヤル錠１２は、図２に示すように、ダイヤル軸１３と、複数のダイヤル１４（ここではダイヤル１４Ａ〜１４Ｃ）と、キャップ１５よりなる。
【００２２】
ダイヤル軸１３は、その片側端部に複数のダイヤル１４の抜け止めとなるフランジを有する円筒よりなり、この円筒及びフランジには、キー１１の突起を外部に突出させるための溝が長手方向に形成されている。このダイヤル軸１３の円筒内部にはキー１１が挿入、収納される。また、このダイヤル軸１３の円筒が複数のダイヤル１４を回転可能に軸支する。
【００２３】
複数のダイヤル１４は、その中心に軸穴を有する円筒よりなる。この軸穴にダイヤル軸１３が挿入される。ダイヤル１４の外表面には複数の数字が列記され、軸穴の、暗証番号に該当する文字に対応する位置には、キー１１の突起を通過させるための切り欠きが形成されている。
【００２４】
キャップ１５は、ダイヤル軸１３の軸端部と接着され、複数のダイヤル１４の抜け落ちとキー１１の不正な解錠を防ぐ。また、キャップ１５には情報携帯収納装置１０の携帯を容易にするためのストラップホール１６が設けられている。このストラップホール１６にチェーンやストラップを通して首から提げたりキーホルダー状にしたりすることで持ち運びが容易となり、紛失等を防ぐこともできる。
【００２５】
なお、ダイヤル軸１３とキャップ１５のフランジには、ダイヤル１４の暗証番号を揃える際に位置合わせの基準とするガイド１７Ａ、１７Ｂを目印として図示しておくのが良い。
【００２６】
キー１１は、図３（ａ）に示すように、把持部１１１と、ＵＳＢメモリ装置や救急用医薬品を収納する収納部１１２、この収納部１１２の外表面に設けられる突起１１３よりなる。収納部１１２は円筒より構成され、ダイヤル軸１３の円筒軸内に挿入可能である。そして収納部１１２の円筒の中心にはＵＳＢメモリホルダ１１４が設けられている。収納部１１２は、このＵＳＢメモリホルダ１１４によりＵＳＢメモリ収納スペース１１２Ａと医薬品収納スペース１１２Ｂとに画成されている。ＵＳＢメモリホルダ１１４内のＵＳＢメモリ収納スペース１１２Ａには、図３（ｂ）に示すようにＵＳＢメモリ装置１１５が収納される。また、ＵＳＢメモリホルダ１１４の両側に画成された医薬品収納スペース１１２Ｂには、各種医薬品（ここでは医薬品１１６Ａ、１１６Ｂ）を収納することができる。
【００２７】
このように構成することにより、本発明の情報携帯収納装置１０は、ダイヤル錠１２の暗証番号を揃えた場合のみキー１１を解錠して取り外し、キー１１内の収納部１１２に収納されたＵＳＢメモリ装置１１５及び医薬品１１６Ａ，１１６Ｂを取り出すことができる。取り外したキー１１は、再度ダイヤル錠１２に差し込み、ダイヤル１４Ａ〜１４Ｃを暗証番号以外の適当な番号に合わせるだけで取り外しが不可能になる。そのため、ＵＳＢメモリ装置１１５及び医薬品１１６Ａ，１１６Ｂの取り出しも不可能になる。
【００２８】
このように、簡単な構成でキー１１を緊結及び解放し、ＵＳＢメモリ装置１１５に記憶された情報を管理することができる。
【００２９】
このダイヤル錠１２及びキー１１の素材は、金属や合成樹脂等であるのが好適である。また、ＵＳＢメモリホルダ１１４の全体又は内側面を、ゴム、ウレタン等よりなる保護材から構成し、ＵＳＢメモリ装置１１５を振動や衝撃から保護するようにしても良い。
【００３０】
また、情報携帯収納装置１０は、例えばポケットや鞄等に入るような携帯に便利なサイズを有する。
【００３１】
なお、ここで述べたキー１１及びダイヤル錠１２の構成は一例であり、他の構成を排除するものではなく、収納部１１２を備えたキー１１を錠により緊結及び解放できる構成であればどのような構成でも良い。
【００３２】
キー１１の収納部１１２に収納されたＵＳＢメモリ装置１１５には、携帯者の個人情報のほか、携帯者に対する応急処置や救命治療等に必要な医療情報（診断情報、病歴情報、治療情報、薬歴情報）が格納されている（後述の図４〜図７参照）。また、各種の診察券や健康保険証等の情報が記録されていても良いし、さらに臓器提供の意思を表示するカードや登録証等の情報を記録することも可能である（後述の図８参照）。
【００３３】
医薬品収納スペース１１２Ｂには、例えば、狭心症、糖尿病、癲癇、喘息等の応急処置に必要となる医薬品を収納する。具体的には、狭心症の場合ニトログリセリン、糖尿病の場合はインシュリン、癲癇の場合は気付薬、喘息の場合は各種エアロゾルを収納する。
【００３４】
図４は、本発明の実施形態に係る情報携帯収納装置のＵＳＢメモリ装置に記憶される携帯者の個人情報の一例を示す図である。
この図では携帯者の個人情報として、氏名（ふりがな）、生年月日、性別、住所、電話番号、メールアドレス、勤務先、勤務先電話番号、緊急時連絡先氏名、緊急時連絡先電話番号、主治医氏名、主治医連絡先、主治医電話番号、データ更新年月日、及び主治医顔写真がそれぞれ示されている。
【００３５】
図５は、本発明の実施形態に係る情報携帯収納装置のＵＳＢメモリ装置に記録される携帯者の診断情報の一例を示す図である。
この図では、携帯者の診断情報として、身長〔ｃｍ〕、体重〔ｋｇ〕、ＢＭＩ、血圧〔ｍｍＨｇ〕、脈拍数〔／分〕、血液型（ＡＢＯ，Ｒｈ）、輸血歴（−，＋）、アレルギー（−，＋）、ＨＢｓＡｇ（−，＋）、ＨＣＶ抗体（−，＋）、ＴＰＨＡ（−，＋）、及びＨＩＶ抗体（−，＋）、不整脈（−，＋）、赤血球数〔×１０４／ｄｌ〕、Ｈｂ〔ｇ／ｄｌ〕、Ｈｔ〔％〕、白血球数〔／ｍｍ３〕、ＡＳＴ〔ＩＵ／ｌ〕、ＡＬＴ〔ＩＵ／ｌ〕、ＡＬＰ〔ＩＵ／ｌ〕、ＬＤＨ〔ＩＵ／ｌ〕、γＧＴＰ〔ＩＵ／ｌ〕、ＴＧ〔ｍｇ／ｄｌ〕、ＬＤＬ−Ｃ〔ｍｇ／ｄｌ〕、ＨＤＬ−Ｃ〔ｍｇ／ｄｌ〕、血糖〔ｍｇ／ｄｌ〕、ＨＢＡ１ｃ〔％〕、尿糖（−，＋）、尿蛋白（−，＋）、及び尿中赤血球（−，＋）が、それぞれ示されている。
【００３６】
この他にも、心電図、胸部レントゲン、ＣＴ、ＭＲＩ，心エコー等の診断画像やそれに対する所見等、様々な診断情報を記録することが可能である。
【００３７】
図６は、本発明の実施形態に係る情報携帯収納装置のＵＳＢメモリ装置に記録される携帯者の病歴情報及び治療情報の一例を示す図である。
この図では、携帯者の病歴情報及び治療情報として、罹患日、病名、症状と経過、治療の内容、病院名、担当医師名が示されている。
【００３８】
図７は、本発明の実施形態に係る情報携帯収納装置のＵＳＢメモリ装置に記録される携帯者の薬歴情報の一例を示す図である。
この図では、携帯者の薬歴情報として、処方日、調剤日、病名・症状名、処方箋内容、処方箋発行病院名、薬局名、薬剤師名が示されている。
【００３９】
図８は、本発明の実施形態に係る情報携帯収納装置のＵＳＢメモリ装置に記録される携帯者の臓器提供意思表示カード情報の一例を示す図である。
この図では、
（１）携帯者が脳死判定後に提供する意思のある臓器の情報と、
（２）携帯者が心臓停止後に提供する意思のある臓器の情報と、
（３）臓器提供に関して、携帯者本人の応否の意思表示の情報と、
（４）携帯者本人の署名（自筆）情報（署名年月日含む）と、
（５）携帯者の家族の署名（自筆）情報と、
が示されている。
【００４０】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００４１】
本発明は、救急救命のための携帯用収納具に関し、特に、携帯者の個人情報及び医療情報を格納したＵＳＢメモリ装置を救急用医薬品と共に携帯でき、かつそれらをダイヤル錠でロック可能にして情報の漏洩を防止できる情報携帯収納装置に関するものであり、産業上の利用可能性を有する。
【図面の簡単な説明】
【００４２】
【図１】本発明の情報携帯収納装置の一例を示す全体概略図である。
【図２】本発明の情報携帯収納装置の一例の分解斜視図である。
【図３】本発明の情報携帯収納装置に係るキーの概要を示す概略図である。
【図４】本発明の実施形態に係る情報携帯収納装置のＵＳＢメモリ装置に記憶される携帯者の個人情報の一例を示す図である。
【図５】本発明の実施形態に係る情報携帯収納装置のＵＳＢメモリ装置に記録される携帯者の診断情報の一例を示す図である。
【図６】本発明の実施形態に係る情報携帯収納装置のＵＳＢメモリ装置に記録される携帯者の病歴情報及び治療情報の一例を示す図である。
【図７】本発明の実施形態に係る情報携帯収納装置のＵＳＢメモリ装置に記録される携帯者の薬歴情報の一例を示す図である。
【図８】本発明の実施形態に係る情報携帯収納装置のＵＳＢメモリ装置に記録される携帯者の臓器提供意思表示カード情報の一例を示す図である。
【符号の説明】
【００４３】
１０    情報携帯収納装置
１１    キー
１２    ダイヤル錠
１３    ダイヤル軸
１４    複数のダイヤル
１４Ａ〜１４Ｃ    ダイヤル
１５    キャップ
１６    ストラップホール
１７Ａ、１７Ｂ    ガイド
１１１    把持部
１１２    収納部
１１２Ａ    ＵＳＢメモリ収納スペース
１１２Ｂ    医薬品収納スペース
１１３    突起
１１４    ＵＳＢメモリホルダ
１１５    ＵＳＢメモリ装置
１１６Ａ、１１６Ｂ    医薬品
【図１】
0005074137.tif 000002
【図２】
0005074137.tif 000003
【図３】
0005074137.tif 000004
【図４】
0005074137.tif 000005
【図５】
0005074137.tif 000006
【図６】
0005074137.tif 000007
【図７】
0005074137.tif 000008
【図８】
0005074137.tif 000009